(57)【特許請求の範囲】
【請求項１】
回転運動を軸方向運動に変換する装置であって、駆動軸（３）によって駆動される、全周にわたって等間隔をおいて保持された複数のプラネットローラ（２）と、該プラネットローラ（２）によって軸方向にシフト可能な摺動体（９）とが設けられており、
プラネットローラ（２）が、その軸線を中心にして駆動される保持体（１）において軸方向不動ではあるが回転可能に支承されており、プラネットローラ（２）に、該プラネットローラ（２）の軸線に対して垂直な平面においてそれぞれ延在する駆動溝（８）が設けられており、
保持体（１）が、その軸線において回転する駆動軸（３）と相対回動不能に結合されており、
プラネットローラ（２）が駆動溝（８）を介して、保持体（１）の軸線に沿ってシフト可能な摺動体（９）のねじ山状の少なくとも１つの溝（１０）に係合しており、
保持体（１）がプラネットローラ（２）を駆動するようになっており、
摺動体（９）が、プラネットローラ（２）を取り囲む中空体として形成されている形式のものにおいて、
保持体（１）及び該保持体内に支承されたプラネットローラ（２）が、駆動軸（３）及び該駆動軸を駆動する電動モータ（４）と一緒に、管の形をした摺動体（９）によって取り囲まれた駆動装置として形成されており、
保持体（１）の中央においてプラネットローラ（２）の半径方向内側に、保持体（１）の軸線を中心にして回転可能で、該保持体（１）に対して軸方向においてころがり軸受を介して支承されて固定された軸受体（１２）が設けられており、該軸受体（１２）が半径方向外側において円筒形をしていて、環状の溝（１８；１３）を備えた領域を有しており、この溝を備えた領域が、プラネットローラ（２）の、溝（１７；８）を備えた対応する領域に係合していることを特徴とする、回転運動を軸方向運動に変換する装置。
【請求項２】
保持体（１）が軸部（５）を介して駆動軸（３）と結合されており、軸部（５）が、ころがり軸受（６）を介して電動モータ（４）の軸受リング（７）内に支承されている、請求項１記載の装置。
【発明の詳細な説明】
本発明は、請求項１の上位概念部に記載の、回転運動を軸方向運動に変換する装置に関する。
このような装置はドイツ連邦共和国特許第２５０２０５２号明細書に基づいて公知である。
本発明の課題は、このような装置を改良して、単純な構成を有していて小さな摩擦で機能する装置を提供することである。
この課題を解決するために本発明では、装置は請求項１の特徴部に記載のように構成されている。
本発明はまず第１に次のような思想、すなわち、プラネットローラを保持体において支承し、この保持体を、該保持体に堅く結合された軸によって駆動するという思想に、基づいている。
本発明による解決策では、プラネットローラの保持体の回転運動、つまり外部から駆動装置によって強制される回転運動は、スリップなしに摺動体の軸方向運動に変換される。
スリップは、力伝達が摩擦力結合式にではなく形状結合式に行われることに基づいて、発生し得ない。このことは以下に記載のことによって生ぜしめられる。すなわち保持体はスリップなしに回転する。したがってプラネットローラの軸も同様にスリップなしに回転する。これによってプラネットローラの駆動溝は、たとえこれらの駆動溝が摺動体のねじ山において不都合に滑ったとしても、摺動体のねじ山に軸方向において常に一義的に配属されることになる。
プラネットローラの駆動溝は、互いに別々に並んで位置していて環状に閉じられた、ピッチを有しない複数の溝でなくてはならない。このように構成されていると、プラネットローラと該プラネットローラによって駆動される摺動体との間においてスリップが生じたとしても、緊張を回避することができる。プラネットローラと摺動体との間において生じる可能性のあるスリップに関してさらに述べれば、このようなスリップは、保持体の回転駆動装置と摺動体との間におけるスリップを意味するものではない。
プラネットローラと摺動体との間におけるスリップによっては単に次のことが生ぜしめられるに過ぎない。すなわち、このようなスリップの発生中には、該当するプラネットローラと摺動体との間において、スリップの存在しない場合に生ぜしめられる転動摩擦の代わりに、滑り摩擦が発生する。
本発明による装置の別の有利な構成は、請求項２以下に記載されている。
本発明による装置の大きな利点としては、歯列を備えた部分を使用する必要がない、ということが挙げられる。このような装置は、伝達比が比較的小さくかつ摺動体の大きな移動速度が望まれているような使用例に、特に適している。
第１に本発明によれば、摺動体は、プラネットローラとプラネットローラ保持体の駆動装置とを取り囲む管として形成されていることが望ましい。しかしながらまた、摺動体を、プラネットローラによって取り囲まれたロッドとして形成することも可能である。この場合には保持体は全体として、つまりその駆動領域においても駆動装置同様、中央において中空に形成されている必要があり、このようになっていると、ロッドとして形成された摺動体の自由な運動を保証することができる。
本発明による装置における別の利点としては、摺動体が、あらかじめ案内体を設ける必要がない区間を越えて移動できる、ということが挙げられる。このようにして、摺動体は、自由な送りの原理に基づいて、自由な送りにおいて行われるブリッジ構造の原理と比較可能に又は油圧シリンダからのピストンの走出と比較可能に、作動する。
次に図面につき本発明の実施例を説明する。
第１図は、中空の摺動体と駆動されるプラネットローラ保持体とを備えた駆動装置を示す縦断面図である。
第２図は、第１図のＩＩ−ＩＩ線に沿った駆動装置の断面図である。
第３図は、第１図に示された駆動装置に対する択一的な構成を有する別の駆動装置を示す縦断面図である。
第４図は、択一的に形成された軸受体を備えた、第３図に示された装置の区分ＩＶを拡大して示す断面図である。
第１図及び第２図に示された駆動装置の実施例では、内部に軸方向不動ではあるが回転可能に支承されたプラネットローラ２を備えた保持体１が、駆動軸３と回動不能に結合されている。この場合駆動軸３は電動モータ４の被駆動軸によって形成される。
保持体１は軸部５を介して、その外周面に設けられたころがり軸受６を用いて、支承されかつ軸方向不動に固定されている。ころがり軸受６は、電動モータ４と堅く結合された軸受リング７に支持されている。
第１図〜第３図に示された実施例では、プラネットローラ２はその全長にわたって、個々に独立した複数の環状の駆動溝８を備えており、これらの駆動溝８はそれぞれ、プラネットローラ２の軸線に対して垂直に方向付けられた平面に互いに並んで配置されている。
プラネットローラ２を備えた保持体１は、管９として形成された摺動体（Schubkoerper）によって取り囲まれている。管９はその内周面に、ねじ山状に延びる溝１０を有しており、この溝１０にはプラネットローラ２の駆動溝８が係合する。
電動モータ４によって保持体１が駆動されると、プラネットローラ２はその駆動溝８を介して、管９の対応溝１０内において転動し、この管９をプラネットローラ２は、ねじ山状の溝１０のピッチに相応して、電動モータの駆動回転数に関連して相応な伝達比で軸方向にシフトさせる。
第１図及び第２図に示された構成ではプラネットローラ２は、リング円板１１を介して軸方向で固定されており、リング円板１１はプラネットローラ２の端面と保持体１との間において自由回転可能に設けられている。
プラネットローラ２と管９との間において一時的にスリップが生じたとしても、これによって電動モータの駆動回転数と管９の軸方向摺動距離との間における正確な伝達比においてはなんら変化がなく、つまり単に、当該プラネットローラ２と管９との間における通常の転動摩擦の代わりに、この時間中に滑り摩擦が生じるだけである。そしてこれは、保持体１の回転時にプラネットローラ２がその軸線を中心にして回転しないと見なすことによって、相殺することができる。このような場合に、位置固定のプラネットローラ２を備えた保持体１は、管９によって形成されたナット内におけるねじのように作用する。
駆動溝８を備えたプラネットローラ２についてさらに注目すべきこととして次のことがある。すなわちこの場合、管９内に単に１つのねじ山だけが設けられている場合には、個々のプラネットローラ２の溝８は、管９の内部においてねじ山ピッチの長手方向において相応にずらされていなくてはならない。
第３図に示された実施例が第１図及び第２図に示された実施例と異なっているのは、単に、保持体１におけるプラネットローラ２の軸方向における固定形式及び支承形式並びに軸受リング７に対する保持体１の軸方向における固定形式及び支承形式だけである。プラネットローラ２の環状路の半径方向内側には、円筒形の外面を備えていて保持体１の軸線において回転可能な軸受体１２が設けられている。この軸受体１２は、複数の環状の溝１３を備えており、これらの環状の溝１３には、プラネットローラ２の駆動溝８が係合している。プラネットローラ２の駆動溝８と軸受体１２の溝１３とが互いに係合していることによって、プラネットローラ２は軸方向において固定可能である。これは次のことによって行われる。すなわちこの場合、保持体１の軸線を中心にして自由に回転可能な軸受体１２は保持体１の内部において軸方向のころがり軸受１４を介して規定されて支持されている。プラネットローラ２は保持体１のピンに、ニードル軸受１６を介して回転可能に支承されている。
第４図に示された実施例によれば、軸受体１２におけるプラネットローラ２の軸方向における支持は、プラネットローラ２の駆動溝８から切り離された軸受溝１７を介して行うことが可能である。このような軸受溝１７はそれぞれ駆動溝８よりも深く、かつプラネットローラ２において、軸方向で見て駆動溝８の間に設けられた領域に配置されている。プラネットローラ２が特殊な軸受溝１７を有している場合には、軸受体１２はもっぱら、形状結合的に配属された溝１８を備えており、つまりこの場合には駆動溝８は、軸受体の対応する対応溝において転動しない。
保持体１の軸部５は半径方向内側にころがり軸受６を有しており、これらのころがり軸受６は半径方向外側において、モータ４の軸受リング７において案内され、かつ固定されている。軸部５は袋孔１５を有しており、この袋孔には軸部５を駆動するために電動モータ４の被駆動軸が形状結合的及び／又は摩擦力結合的に係合することができる。
【図１】
0003853369.tif 000002
【図２】
0003853369.tif 000003
【図３】
0003853369.tif 000004
【図４】
0003853369.tif 000005